(57)【要約】本発明は、特に２５０，０００よりも大きい分子量を有する陰イオン性多糖類（特に陰イオン性ポリガラクトマンナン）を含む綿編織品保護用組成物に関する。この組成物は、固体又は液体洗剤配合物、液体濯ぎ及び／又は柔軟化用配合物、乾燥編織品中の湿った編織品と接触される乾燥用添加剤、水性アイロン掛用配合物、洗浄操作前に編織品に付着される予備染抜洗浄添加剤であってよい。【特許請求の範囲】
【請求項１】
紡織繊維より作られた製品の保護用組成物において、２５０，０００よりも大きいそして好ましくは５００，０００よりも大きい重量平均分子量を有する少なくとも１種の陰イオン性多糖類であって、その生来の骨格が、　＊同種又は異種のアンヒドロヘキソース単位を含む主鎖、及び
＊少なくとも１個の中性又は陰イオン性アンヒドロペントース及び／又はアンヒドロヘキソース単位を含む分岐鎖、
から形成される多糖類からなり、しかも、
該陰イオン性多糖類のアンヒドロヘキソース及び／又はアンヒドロペントース単位が、少なくとも１種の陰イオン性基又は該組成物の作業ｐＨで陰イオン化されうる基で置換又は変性され、そして該陰イオン性基又は又は陰イオン化可能な基によるアンヒドロヘキソース及び／又はアンヒドロペントース単位の置換又は変性度ＤＳｉが０．１〜３未満そして好ましくは０．２〜２．５の範囲内であることからなる少なくとも１種の陰イオン性多糖類を含むことを特徴とする紡織繊維製品の保護用組成物。
【請求項２】
イオン性又はイオン化可能な基が糖骨格の炭素原子に直接に又は−Ｏ−結合を介して結合されることを特徴とする請求項１記載の組成物。
【請求項３】
イオン性又はイオン化可能な基が１個又はそれ以上のカルボン酸、スルホン酸、硫酸、燐酸又はホスホン酸官能基を含有することを特徴とする請求項１又は２記載の組成物。
【請求項４】
イオン性又はイオン化可能な基が、式：
−［−ＣＨ２−ＣＨ（Ｒ）−Ｏ］ｘ−（ＣＨ２）ｙ−ＣＯＯＨ、
又は
−［−ＣＨ２−ＣＨ（Ｒ）−Ｏ］ｘ−（ＣＨ２）ｙ−ＣＯＯＭ
［式中、
Ｒは水素原子又は１〜４個の炭素原子を含有するアルキル基であり、
ｘは０〜５の範囲内の整数であり、
ｙは０〜５の範囲内の整数であり、
Ｍはアルカリ金属を表わす］を有することを特徴とする請求項１〜３のいずれか一項記載の組成物。
【請求項５】
イオン性又はイオン化可能な基が、糖骨格の炭素原子に直接結合したカルボキシル基−ＣＯＯ−Ｎａ＋、又は糖骨格の炭素原子に−Ｏ−結合を介して結合したカルボキシメチル（ナトリウム塩）−ＣＨ２−ＣＯＯ−Ｎａ＋であることを特徴とする請求項１〜４のいずれか一項記載の組成物。
【請求項６】
陰イオン性多糖類が少なくとも１個の非イオン性基も含有することを特徴とする請求項１〜５のいずれか一項記載の組成物。
【請求項７】
非イオン性基が糖骨格の炭素原子に直接に又は−Ｏ−結合を介して結合されることを特徴とする請求項６記載の組成物。
【請求項８】
非イオン性基が、糖骨格の炭素原子に−Ｏ−結合を介して結合した式：
＃　−［−ＣＨ２−ＣＨ（Ｒ）−Ｏ］ｘ−Ｒ１
［式中、
Ｒは水素原子又は１〜４個の炭素原子を含有するアルキル基であり、
ｘは０〜５の範囲内の整数であり、
Ｒ１は、
・水素原子、
・１個又はそれ以上の酸素及び／又は窒素ヘテロ原子で随意に中断しうる１〜２２個の炭素原子を含有するアルキル基、６〜１２個の炭素原子を含有するシクロアルキル、アリール又はアリールアルキル基、
・基−（ＣＨ２）ｙ−ＣＯＯＲ２、基−（ＣＨ２）ｙ−ＣＮ、基−（ＣＨ２）ｙ−ＣＯＮＨＲ２、
を表わし、
Ｒ２は、１〜２２個の炭素原子を含有するアルキル、アリール又はアリールアルキル基を表わし、そして
ｙは０〜５の範囲内の整数である］、
＃　−ＣＯ−ＮＨ−Ｒ１
［式中、Ｒ１は先に記載した規定を有する］を有することを特徴とする請求項６又は７記載の組成物。
【請求項９】
非イオン性基が、次の基：
・糖骨格の炭素原子にエーテル、エステル、アミド又はウレタン結合を介して結合したメチル、エチル、プロピル、イソプロピル、ブチル、ヘキシル、オクチル、ドデシル、オクタデシル、フェニル、ベンジル、
・糖骨格の炭素原子に−Ｏ−結合を介して結合したシアノエチル、ヒドロキシエチル、ヒドロキシプロピル、ヒドロキシブチル、
であることを特徴とする請求項６〜８のいずれか一項記載の組成物。
【請求項１０】
生来骨格の主鎖のヘキソース単位（同種又は異種）が、Ｄ−グルコース、Ｄ−若しくはＬ−ガラクトース、Ｄ−マンノース、Ｄ−若しくはＬ−フコース、又はＬ−ラムノース単位であることを特徴とする請求項１〜９のいずれか一項記載の組成物。
【請求項１１】
生来骨格の分岐鎖の中性若しくは陰イオン性ペントース及び／又はヘキソース単位（同種又は異種）が、Ｄ−キシロース、Ｌ−若しくはＤ−アラビノース、Ｄ−グルコース、Ｄ−若しくはＬ−ガラクトース、Ｄ−マンノース、Ｄ−若しくはＬ−フコース、Ｌ−ラムノース、Ｄ−グルクロン酸、Ｄ−ガラクツロン酸、又はＤ−マンヌロン酸単位であることを特徴とする請求項１〜１０のいずれか一項記載の組成物。
【請求項１２】
生来骨格がガラクトマンナン、ガラクトグルコマンナン、キシログルカン、キサンタンガム、スクレログルカン、スクシノグリカン、ラムサン又はウエランガムであることを特徴とする請求項１〜１１のいずれか一項記載の組成物。
【請求項１３】
生来骨格がガラクトマンナンであることを特徴とする請求項１２記載の組成物。
【請求項１４】
陰イオン性多糖類がカルボキシメチルガラクトマンナン又はカルボキシメチルヒドロキシプロピルガラクトマンナンであることを特徴とする請求項１３記載の組成物。
【請求項１５】
陰イオン性多糖類がカルボキシメチルグアー又はカルボキシメチルヒドロキシプロピルグアーであることを特徴とする請求項１４記載の組成物。
【請求項１６】
組成物が、
＊水で希釈後に、被処理織物と接触状態に置かれる固体、分散液又は濃厚水溶液、
＊水で希釈前に、被処理乾燥織物上に予め必要な場所に置かれ（プレスポッテド）る分散液又は濃厚水溶液、
＊希釈せずに被処理乾燥織物上に直接置かれるべき分散液若しくは水溶液、又は被処理乾燥織物に直接適用されるべき該陰イオン性多糖類を含む固体担体、又は
＊湿潤している間に被処理織物と直接接触状態に置かれる該陰イオン性多糖類を含む不溶性固体担体、
の形態にあることを特徴とする請求項１〜１５のいずれか一項記載の組成物。
【請求項１７】
乾燥物として表わして０．０５％〜１０％の該陰イオン性多糖類を含むことを特徴とする請求項１〜１６のいずれか一項記載の組成物。
【請求項１８】
組成物が、
−乾燥物として表わして０．０５％〜５％そして好ましくは０．１％〜３％の該陰イオン性多糖類を含む固体又は液体洗剤配合物であって、希釈によって洗浄浴を直接形成することができるもの、
−乾燥物として表わして０．０５％〜３％そして好ましくは０．１％〜２％の該陰イオン性多糖類を含む液体濯ぎ及び／又は柔軟用配合物であって、希釈によって濯ぎ及び／又は柔軟用浴を直接形成することができるもの、
−乾燥物として表わして０．０５％〜１０％そして好ましくは０．１％〜５％の該陰イオン性多糖類を含む固体物質、特に繊維材料であって、タンブル乾燥機において湿潤織物と接触状態に置こうとするもの、
−乾燥物として表わして０．０５％〜１０％そして好ましくは０．１％〜５％の陰イオン性多糖類を含む水性アイロン掛用配合物、
−乾燥物として表わして０．０５％〜１０％そして好ましくは０．１％〜５％の該陰イオン性多糖類を含む洗浄用添加剤であって、該陰イオン性多糖類を随意に含有しうる洗剤配合物を使用する洗浄操作に先立って乾燥織物上に置こうとするもの、
であることを特徴とする請求項１〜１７のいずれか一項記載の組成物。
【請求項１９】
紡織繊維より作られた製品用の少なくとも１種の界面活性剤及び／又は少なくとも１種の洗剤添加剤及び／又は濯ぎ添加剤及び／又は柔軟用添加剤及び／又は該陰イオン性多糖類用の少なくとも１種の固体担体を含有することを特徴とする請求項１〜１８のいずれか一項記載の組成物。
【請求項２０】
紡織繊維より作られた製品を水性又は湿潤媒体中において請求項１〜１９のいずれか一項記載の組成物で処理することによって該製品を保護する方法。
【請求項２１】
製品が、少なくとも３５重量％の綿であって好ましくは着色されたものを含有することを特徴とする請求項２０記載の方法。
【請求項２２】
紡織繊維より作られた製品を保護するための組成物中において、請求項１〜１５のいずれか一項記載の少なくとも１種の陰イオン性多糖類を使用する方法。
【請求項２３】
組成物が、
−乾燥物として表わして０．０５％〜５％そして好ましくは０．１％〜３％の陰イオン性多糖類を含む固体又は液体洗剤配合物であって、希釈によって洗浄浴を直接形成することができるもの、
−乾燥物として表わして０．０５％〜３％そして好ましくは０．１％〜２％の陰イオン性多糖類を含む液体濯ぎ及び／又は柔軟用配合物であって、希釈によって濯ぎ及び／又は柔軟用浴を直接形成することができるもの、
−乾燥物として表わして０．０５％〜１０％そして好ましくは０．１％〜５％の該陰イオン性多糖類を含む固体物質、特に繊維材料であって、タンブル乾燥機において湿潤織物と接触状態に置こうとするもの、
−乾燥物として表わして０．０５％〜１０％そして好ましくは０．１％〜５％の該陰イオン性多糖類を含む水性アイロン掛用配合物、
−乾燥物として表わして０．０５％〜１０％そして好ましくは０．１％〜５％の該陰イオン性多糖類を含む洗浄用添加剤であって、該陰イオン性多糖類を随意に含有しうる洗剤配合物を使用する洗浄操作に先立って乾燥織物上に置こうとするもの、
であることを特徴とする請求項２２記載の使用法。
【請求項２４】
製品が、少なくとも３５重量％の綿であって好ましくは着色されたものを含有することを特徴とする請求項２２又は２３記載の使用法。
【発明の詳細な説明】
【０００１】
本発明は、紡織繊維より作られた製品、特に綿基材編織品（特に着色されたもの）の保護（“編織品保護”）用の陰イオン性多糖類を含む組成物に関する。
【０００２】
表現「紡織繊維より作られた製品、特に織物の保護」は、これらの製品を物理的又は化学的劣化現象に対して保護すること、特に、着色製品の色彩の保護及び／又はそれへの有益な特性例えば柔軟性及び／又は防しわ性の付与を意味する。
【０００３】
織物の機械洗浄は、繊維、特に綿繊維の物理的及び化学的劣化をもたらす。洗剤によって、そして酸化性物質（過硼酸塩又は過炭酸塩）の如きある種の特定の化合物又はある種の酵素によってももたらされるアルカリ度は、綿繊維の化学的劣化の原因になりうる。しかしながら、それは、一般的には、繊維の劣化をもたらす化学的及び物理的作用の組み合わせである。機械的作用は、洗浄、濯ぎ、遠心脱水又はタンブル脱水（これをタンブル乾燥機で行うときには）中に生じられる。この繊維の劣化は編織品の表面においてフィブリルの形成をもたらし、これは着色編織品がそれらの輝きを失う原因となる。また、この劣化は編織品の強度の低下も誘発し、これは、極端には編織品の引き裂きをもたらす場合がある。この編織品の劣化は、着色編織品の色彩の損失によるか、又は編織品の引裂強度の低下のどちらかによって定量的に評価することができる。一般的には、このタイプの劣化を感知するためには１０〜２０回の累積的機械洗浄を実施することが必要である。
【０００４】
また、系統的に遠心脱水操作を含む洗浄機でのクリーニングは、特に繊維間水素結合の形成によってしわの付いた織物をもたらし、そしてこれはタンブル脱水段階において顕著である。かくして、織物を体裁良く見えるようにするためにはそれらをアイロン掛することが必要である。
【０００５】
洗浄又は濯ぎ中に繊維の劣化を減少させるために、化学製品又は洗剤の供給業者は、洗剤配合物において変更を行い、又はある種の特定の添加剤を使用してきた。
【０００６】
特に、酸化系を含まない洗剤を挙げることができるが、しかしその洗浄能は低下している。
【０００７】
また、シリコーン化合物、特にアミノシリコーンも使用されている（ＵＳ−Ａ−４５８５５６３、ＷＯ９２／０７９２７、ＷＯ９８／３９４０１）。
【０００８】
ここに本発明において、紡織繊維より作られた製品、特に綿基材製品（特に着色されたもの）を処理するための組成物中において、該組成物の水性又は湿潤媒体中で作業条件下に可溶性の高分子量のある種の陰イオン性多糖類を使用すると、これらの製品の劣化を防止することが可能になり、色彩を保護することが可能になり、及び／又はこれらの製品に防しわ性及び／又は柔軟性を付与することが可能になることが分かった。
【０００９】
かかる組成物は、特に、織物を洗浄及び／又は濯ぎ及び／又は柔軟化するための組成物、洗浄前に織物から汚れを除く（“染み抜き”）ための組成物、タンブル乾燥機において湿った織物をタンブル脱水するための組成物、又は織物をアイロン掛するための組成物になりうる。
【００１０】
本発明の第一課題は、紡織繊維より作られた製品の保護用組成物において、２５０，０００よりも大きいそして好ましくは５００，０００よりも大きい重量平均分子量を有する少なくとも１種の陰イオン性多糖類であって、その生来の骨格（ｎａｔｉｖｅ ｓｋｅｌｅｔｏｎ）が、
＊同種又は異種のアンヒドロヘキソース単位を含む主鎖、及び
＊少なくとも１個の中性又は陰イオン性アンヒドロペントース及び／又はアンヒドロヘキソース単位を含む分岐鎖、
から形成される多糖類からなり、しかも、
該陰イオン性多糖類のアンヒドロヘキソース及び／又はアンヒドロペントース単位が、少なくとも１種の陰イオン性基又は該組成物の作業ｐＨで陰イオン化されうる基で置換又は変性され、そして該陰イオン性基又は又は陰イオン化可能な基によるアンヒドロヘキソース及び／又はアンヒドロペントース単位の置換又は変性度ＤＳｉが０．１〜３未満そして好ましくは０．２〜２．５の範囲内であることからなる少なくとも１種の陰イオン性多糖類を含むことを特徴とする紡織繊維製品の保護（織物の保護）用組成物よりなる。
【００１１】
該陰イオン性多糖類の重量平均分子量は、２，０００，０００までになりうる。該陰イオン性多糖類の重量平均分子量Ｍｗは、分子サイズ排除クロマトグラフィーによって測定することができる。この測定は、０．１ＭのＬｉＣｌ及び２／１００００のＮａＮ３を含有するｐＨ９〜１０の水中で実施される。重量平均分子量Ｍｗは、光散乱値によって知られる態様で直接に定められる。
【００１２】
置換又は変性の程度ＤＳｉは、アンヒドロヘキソース及び／又はアンヒドロペントース単位当たり該陰イオン性又は陰イオン化可能な基で置換又は変性されるアンヒドロヘキソース及び／又はアンヒドロペントース単位中のヒドロキシル官能基の平均数に相当する。該陰イオン性又は陰イオン化可能な基は、糖骨格の炭素原子に直接に又は−Ｏ−結合を介して結合される。
【００１３】
本発明の１つの変形具体例に従えば、該陰イオン性多糖類は少なくとも１種の非イオン性基も含有することができる。該非イオン性基は、糖骨格の炭素原子に直接に又は−Ｏ−結合を介して結合される。
【００１４】
かかる基の存在は、置換基のモル数ＭＳとして、即ち、アンヒドロヘキソース及び／又はアンヒドロペントース単位当たり反応した該非イオン性置換基の前駆物質の平均モル数として表わされる。もしも該前駆物質が新しい反応性ヒドロキシル基を形成することができないならば（例えば、アルキル化前駆物質）、陰イオン性又は陰イオン化可能な基及び非イオン性基のすべてによる置換又は変性の程度は、規定によって３未満である。もしも該前駆物質が新しい反応性ヒドロキシル基を形成することができるならば（例えば、ヒドロキシアルキル化前駆物質）、置換のモル数ＭＳは理論的には限定されない。それは、例えば、６までにそして好ましくは２までになりうる。
【００１５】
挙げることができる陰イオン性又は陰イオン化可能な基の例としては、１個又はそれ以上のカルボン酸、スルホン酸、硫酸、燐酸、ホスホン酸などの官能基を含有するものである。
【００１６】
特に、式：
−［−ＣＨ２−ＣＨ（Ｒ）−Ｏ］ｘ−（ＣＨ２）ｙ−ＣＯＯＨ、
又は
−［−ＣＨ２−ＣＨ（Ｒ）−Ｏ］ｘ−（ＣＨ２）ｙ−ＣＯＯＭ
［式中、
Ｒは水素原子又は１〜４個の炭素原子を含有するアルキル基であり、
ｘは０〜５の範囲内の整数であり、
ｙは０〜５の範囲内の整数であり、
Ｍはアルカリ金属を表わす］を有するものを挙げることができる。
【００１７】
特に、糖骨格の炭素原子に直接結合したカルボキシル基−ＣＯＯ−Ｎａ＋、又は糖骨格の炭素原子に−Ｏ−結合を介して結合したカルボキシメチル（ナトリウム塩）−ＣＨ２−ＣＯＯ−Ｎａ＋を挙げることができる。
【００１８】
非イオン性基の例としては、糖骨格の炭素原子に−Ｏ−結合を介して結合した式：
＃　−［−ＣＨ２−ＣＨ（Ｒ）−Ｏ］ｘ−Ｒ１
［式中、
Ｒは水素原子又は１〜４個の炭素原子を含有するアルキル基であり、
ｘは０〜５の範囲内の整数であり、
Ｒ１は、
・水素原子、
・１個又はそれ以上の酸素及び／又は窒素ヘテロ原子で随意に中断しうる１〜２２個の炭素原子を含有するアルキル基、６〜１２個の炭素原子を含有するシクロアルキル、アリール又はアリールアルキル基、
・基−（ＣＨ２）ｙ−ＣＯＯＲ２、基−（ＣＨ２）ｙ−ＣＮ、基−（ＣＨ２）ｙ−ＣＯＮＨＲ２、
を表わし、
Ｒ２は、１〜２２個の炭素原子を含有するアルキル、アリール又はアリールアルキル基を表わし、そして
ｙは０〜５の範囲内の整数である］、
＃　−ＣＯ−ＮＨ−Ｒ１
［式中、Ｒ１は先に記載した規定を有する］を有するものを挙げることができる。
【００１９】
特に、次の基：
・糖骨格の炭素原子にエーテル、エステル、アミド又はウレタン結合を介して結合したメチル、エチル、プロピル、イソプロピル、ブチル、ヘキシル、オクチル、ドデシル、オクタデシル、フェニル、ベンジル、
・糖骨格の炭素原子に−Ｏ−結合を介して結合したシアノエチル、ヒドロキシエチル、ヒドロキシプロピル、ヒドロキシブチル、
を挙げることができる。
【００２０】
生来骨格の主鎖のヘキソース単位（同種又は異種）は、Ｄ−グルコース、Ｄ−若しくはＬ−ガラクトース、Ｄ−マンノース、Ｄ−若しくはＬ−フコース、Ｌ−ラムノースなどの単位であってよい。
【００２１】
生来骨格の分岐鎖の中性若しくは陰イオン性ペントース及び／又はヘキソース単位（同種又は異種）は、Ｄ−キシロース、Ｌ−若しくはＤ−アラビノース、Ｄ−グルコース、Ｄ−若しくはＬ−ガラクトース、Ｄ−マンノース、Ｄ−若しくはＬ−フコース、Ｌ−ラムノースなど、Ｄ−グルクロン酸、Ｄ−ガラクツロン酸、Ｄ−マンヌロン酸などの単位であってよい。
【００２２】
挙げることができる生来骨格の例としては、ガラクトマンナン、ガラクトグルコマンナン、キシログルカン、キサンタンガム、スクレログルカン、スクシノグリカン、ラムサン、ウエランガムなどである。
【００２３】
生来骨格は、好ましくは、ガラクトマンナンである。ガラクトマンナンは、β位置（１−４）に結合されたＤ−マンノピラノース単位の主鎖がα位置（１−６）においてＤ−ガラクトピラノースで置換されてなる巨大分子である。これらの例としては、グアーガム、キャロブガム及びタラガムを挙げることができる。生来骨格は、最も好ましくは、グアーガムである。グアーガムは、２のマンノース／ガラクトース比を有する。
【００２４】
本発明に従った陰イオン性多糖類は公知の態様で得ることができる。これらの大部分は市販品である。
【００２５】
本発明に従った陰イオン性多糖類の例としては、
・カルボキシメチルガラクトマンナン、特にカルボキシメチルグアー
・カルボキシメチルヒドロキシプロピルガラクトマンナン、特にカルボキシメチルヒドロキシプロピルグアー、
を挙げることができる。
【００２６】
本発明の第二課題は、紡織繊維より作った製品を水性又は湿潤媒体中に本発明に従った少なくとも１種の陰イオン性多糖類を含む組成物で処理することによってこれらの製品を保護するための方法よりなる。
【００２７】
本発明の第三課題は、紡織繊維より作った製品を水性又は湿潤媒体中において処理するための組成物において、本発明に従った少なくとも１種の陰イオン性多糖類を紡織繊維に対する保護剤として使用することよりなる。
【００２８】
組成物及び作業（又は処理）条件は、多数の形態にあってよい。
【００２９】
該組成物は、
＊水で希釈後に、被処理製品と接触状態に置かれる固体（粉末、顆粒、タブレットなど）、分散液又は濃厚水溶液の形態、
＊水で希釈前に、被処理乾燥製品上の予め必要な場所に置かれる分散液又は濃厚水溶液の形態、
＊希釈せずに被処理乾燥製品上に直接置かれるべき分散液若しくは水溶液、又は被処理乾燥製品に直接適用されるべき該陰イオン性多糖類を含む固体担体（ステック）の形態、又は
＊被処理湿潤織物と直接接触状態に置かれる該陰イオン性多糖類を含む不溶性固体担体の形態、
にあってよい。
【００３０】
かくして、本発明の組成物は、
−希釈によって洗浄浴を直接形成することができる固体又は液体洗剤配合物、
−希釈によって濯ぎ及び／又は柔軟化用浴を直接形成することができる液体濯ぎ及び／又は柔軟化用配合物、
−タンブル乾燥機において湿潤織物と接触状態に置こうとする外陰イオン性多糖類を含む固体物質、特に繊維材料（外固体物質は、以後、“タンブル乾燥機添加剤”と称する）、
−水性アイロン掛用配合物、
−該陰イオン性多糖類を含有する又は含有しない洗剤配合物を使用する洗浄操作に先立って乾燥織物上に置こうとする洗浄添加剤（“染抜剤”）（該添加剤は、以後、“プレスポッター”（ｐｒｅｓｐｏｔｔｅｒ）と称する）、
であってよい。
【００３１】
本発明の組成物は、織物の保護、特に綿基材織物、特に少なくとも３５％の綿を含有する織物の保護に特に好適である。それは、着色織物の保護に特に最も好適である。
【００３２】
本発明に従った陰イオン性多糖類は、該組成物の水性又は湿潤媒体での作業条件下に可溶性である。該陰イオン性多糖類は、それらの重量の５０％よりも多くそして好ましくは７０％よりも多くが本発明の組成物の作業水性又は湿潤媒体中に、即ち、特に該媒体の温度及びｐＨ条件下に可溶性であるときに可溶性であると見なされる。
【００３３】
本発明の組成物の作業ｐＨは、所望の用途に応じて約２〜約１２の範囲内であってよい。
【００３４】
それが、
・洗剤配合物であるときには、洗浄浴のｐＨは、一般的には約７〜１１そして好ましくは８〜１０．５である。
・濯ぎ及び／又は柔軟化用配合物であるときには、濯ぎ及び／又は柔軟化用浴のｐＨは、一般的には約２〜８である。
・乾燥添加剤であるときには、考慮されるべきｐＨは、残留する水のｐＨであって、これは約２〜９であってよい。
・水性アイロン掛用配合物であるときには、該配合物のｐＨは、一般には約５〜９である。
・プレスポッターであるときには、考慮されるべきｐＨは、染み抜き後の操作の洗浄浴のｐＨ、即ち、約７〜１１そして好ましくは８〜１０．５である。
【００３５】
本発明に従った保護用組成物中に存在する陰イオン性多糖類の量は、所望の用途に応じて該組成物の乾燥重量に対して乾燥重量として０．０５％〜１０％の範囲内であってよい。
【００３６】
かくして、該陰イオン性多糖類（ＡＰ）は、次の如く使用することができる。
【表１】
2004511681.tif 000002
【００３７】
本発明に従った保護用組成物中には、陰イオン性多糖類と一緒に他の成分も存在させることができる。該組成物は、紡織繊維より作られた製品用の少なくとも１種の界面活性剤及び／又は少なくとも１種の洗剤添加剤及び／又は濯ぎ用添加剤及び／又は柔軟化用添加剤及び／又は該陰イオン性多糖類用の少なくとも１種の固体担体（特に編織品担体）を含有することができる。
【００３８】
これらの成分の性状は、該組成物の所望の用途に左右される。かくして、それが織物洗浄用の洗剤配合物であるときには、それは、一般的には、
・少なくとも１種の天然及び／又は合成界面活性剤、
・少なくとも１種の洗剤補助剤（“ビルダー”）、
・随意成分としての酸化剤又は系、及び
・一連の特定の添加剤、
を含む。洗剤配合物は、界面活性剤を洗剤配合物に対して約３重量％〜４０重量％に相当する量で含むことができる。
【００３９】
これらの界面活性剤は、
陰イオン性界面活性剤
・式：Ｒ−ＣＨ（ＳＯ３Ｍ）−ＣＯＯＲ’［式中、ＲはＣ８〜Ｃ２０そして好ましくはＣ１０〜Ｃ１６アルキル基を表わし、Ｒ’はＣ１〜Ｃ６そして好ましくはＣ１〜Ｃ３アルキル基を表わし、そしてＭはアルカリ金属（ナトリウム、カリウム又はリチウム）陽イオン、置換若しくは非置換アンモニウム（メチル−、ジメチル−、トリメチル−又はテトラメチルアンモニウム、ジメチルピペリジニウムなど）又はアルカノールアミン誘導体（モノエタノールアミン、ジエタノールアミン、トリエタノールアミンなど）を表わす］のアルキルエステルスルホネート（特に、Ｒ基がＣ１４〜Ｃ１６であるメチルエステルスルホネートを挙げることができる）、
・式：ＲＯＳＯ３Ｍ［式中、ＲはＣ５〜Ｃ２４そして好ましくはＣ１０〜Ｃ１８アルキル又はヒドロキシアルキル基を表わし、Ｍは水素原子又は先に記載したと同じ規定の陽イオン、そして平均して０．５〜３０個そして好ましくは０．５〜１０個のＥＯ及び／又はＰＯ単位を含有するそのエトキシレン化（ＥＯ）及び／又はプロポキシレン化（ＰＯ）誘導体も表わす］のアルキルサルフェート、
・式：ＲＣＯＮＨＲ’ＯＳＯ３Ｍ［式中、ＲはＣ２〜Ｃ２２そして好ましくはＣ６〜Ｃ２０アルキル基を表わし、Ｒ’はＣ２〜Ｃ３アルキル基を表わし、Ｍは水素原子又は先に記載したと同じ規定の陽イオン、そして平均して０．５〜６０個のＥＯ及び／又はＰＯ単位を含有するそのエトキシレン化（ＥＯ）及び／又はプロポキシレン化（ＰＯ）誘導体も表わす］のアルキルアミドサルフェート、
・飽和又は不飽和Ｃ８〜Ｃ２４そして好ましくはＣ１４〜Ｃ２０脂肪酸塩、Ｃ９〜Ｃ２０アルキルベンゼンスルホネート、第一又は第二Ｃ８〜Ｃ２２アルキルスルホネート、アルキルグリセリルスルホネート、ＧＢ−Ａ−１０８２１７９に記載されるスルホン化ポリカルボン酸、パラフィンスルホネート、Ｎ−アシルＮ−アルキルタウレート、アルキルホスフェート、イセチオネート、アルキルスクシナメート、アルキルスルホスクシネート、スルホスクシネートモノエステル又はジエステル、Ｎ−アシルサルコシネート、アルキルグリコシドサルフェート、ポリエトキシカルボキシレート（この陽イオンは、アルカリ金属（ナトリウム、カリウム又はリチウム）陽イオン、置換若しくは非置換アンモニウム残基（メチル−、ジメチル−、トリメチル−又はテトラメチルアンモニウム、ジメチルピペリジニウムなど）又はアルカノールアミン誘導体（モノエタノールアミン、ジエタノールアミン、トリエタノールアミンなど）である）、
非イオン性界面活性剤
・アルキル置換基がＣ６〜Ｃ１２でありそして５〜２５個のオキシアルキレン単位を含有するポリオキシアルキレン化（ポリオキシエチレン化、ポリオキシプロピレン化又はポリオキシブチレン化）アルキルフェノール（挙げることができる例は、ローム・アンド・ハース社によって製造販売される商品名「Ｔｒｉｔｏｎ　Ｘ−４５、Ｘ−１１４、Ｘ−１００又はＸ−１０２」の製品である）、
・グルコサミド、グルカミド又はグリセロールアミド、
・１〜２５個のオキシアルキレン（オキシエチレン又はオキシプロピレン）単位を含有するポリオキシアルキレン化Ｃ８〜Ｃ２２脂肪族アルコール（挙げることができる例は、ユニオン・カーバイド・コーポレーションによって製造販売される商品名「Ｔｅｒｇｉｔｏｌ　１５−Ｓ−９」及び「Ｔｅｒｇｉｔｏｌ　２４−Ｌ−６　ＮＭＷ」、シェル・ケミカル・カンパニーによって製造販売される商品名「Ｎｅｏｄｏｌ　４５−９」、「Ｎｅｏｄｏｌ　２３−６５」、「Ｎｅｏｄｏｌ　４５−７」及び「Ｎｅｏｄｏｌ　４５−４」、並びにザ・プロクター・アンド・ギャンブル・カンパニーによって製造販売される商品名「Ｋｙｒｏ　ＥＯＢ」の各製品である）、
・エチレンオキシドの縮合から得られる生成物、又はプロピレンオキシドとプロピレングリコールとの縮合から得られる化合物、例えば、ＢＡＳＦによって製造販売される商品名「Ｐｌｕｒｏｎｉｃ」の製品、
・エチレンオキシドの縮合から得られる生成物、又はプロピレンオキシドとエチレンジアミンとの縮合から得られる化合物、例えば、ＢＡＳＦによって製造販売される商品名「Ｔｅｔｒｏｎｉｃ」の製品、
・Ｃ１０〜Ｃ１８アルキルジメチルアミンオキシド及びＣ８〜Ｃ２２アルコキシエチルジヒドロキシエチルアミンオキシドの如きアミンオキシド、
・ＵＳ−Ａ−４５６５６４７に記載されるアルキルポリグリコシド、
・Ｃ８〜Ｃ２０脂肪酸アミド、
・エトキシル化脂肪酸、
・エトキシル化脂肪アミド、
・エトキシル化アミン、
両性及び双極性界面活性剤
・アルキルジメチルベタイン、アルキルアミドプロピルジメチルベタイン、アルキルトリメチルスルホベタイン、及び脂肪酸とタンパク質加水分解生成物との縮合生成物、
・アルキル基が６〜２０個の炭素原子を含有するアルキルアンホアセテート又はアルキルアンホジアセテート、
である。
【００４０】
界面活性特性を向上させるための洗剤補助剤（“ビルダー”）は、液体洗剤配合物に対して約５〜５０重量％そして好ましくは約５〜３０重量％に、又は粉末洗剤配合物に対して約１０〜８０重量％そして好ましくは約１５〜５０重量％に相当する量で使用されることができる。
【００４１】
これらの洗剤補助剤は、
鉱物性洗剤補助剤
・アルカリ金属、アンモニウム又はアルカノールアミンのポリ燐酸塩（トリポリ燐酸塩、ピロ燐酸塩、オルト燐酸塩又はヘキサメタ燐酸塩）、
・テトラ硼酸塩又は硼酸塩前駆物質、
・珪酸塩、特に約１．６／１〜３．２／１のＳｉＯ２／Ｎａ２Ｏ比を有するもの、及びＵＳ−Ａ−４６６４８３９に記載されるラメラ珪酸塩、
・アルカリ金属又はアルカリ土類金属炭酸塩（重炭酸塩、セスキ炭酸塩）、
・ＥＰ−Ａ−４８８８６８に記載される、Ｑ２又はＱ３形態の珪素原子に富むアルカリ金属珪酸塩水和物及びアルカリ金属（ナトリウム又はカリウム）炭酸塩の共顆粒、
・ゼオライトＡ、Ｐ、Ｘなどの如きアルカリ金属（ナトリウム又はカリウム）又はアンモニウムの結晶質又は非晶質アルミノ珪酸塩（約０．１〜１０のμｍの粒度を有するゼオライトＡが好ましい）、
有機洗剤補助剤
・水溶性ポリホスホネート（エタン１−ヒドロキシ−１，１−ジホスホネート、メチレンジホスホネート塩など）、
・カルボン酸重合体若しくは共重合体の水溶性塩又はそれらの水溶性塩、例えば、
−ポリカルボキシレートエーテル（オキシジコハク酸及びその塩、モノコハク酸タートレート及びその塩、ジコハク酸タートレート及びその塩）、
−ヒドロキシポリカルボキシレートエーテル、
−クエン酸及びその塩、メリット酸及びコハク酸、並びにそれらの塩、
−ポリ酢酸塩（エチレンジアミンテトラアセテート、ニトリロトリアセテート、Ｎ−（２−ヒドロキシエチル）ニトリロジアセテート）、
−Ｃ５〜Ｃ２０アルキルコハク酸及びそれらの塩（２−ドデセニルスクシネート、ラウリルスクシネート）、
−カルボン酸ポリアセタールエステル、
−ポリアスパラギン酸及びポリグルタミン酸、並びにそれらの塩、
−アスパラギン酸及び／又はグルタミン酸の重縮合から誘導されるポリイミド、
−グルタミン酸又は他のアミノ酸のポリカルボキシメチル誘導体、
である。
【００４２】
洗剤配合物は、過化合物そして好ましくは過塩からなる少なくとも１種の酸素離脱性漂白剤を含むこともできる。該漂白剤は、洗剤配合物に対して約１重量％〜３０重量％そして好ましくは４重量％〜２０重量％に相当する量で存在させることができる。
【００４３】
漂白剤として使用することができる過化合物の例としては、特に、過硼酸ナトリウム一水和物若しくは四水和物の如き過硼酸塩、炭酸ナトリウムペルオキシハイドレート、ピロホスフェートペルオキシハイドレート、尿素ペルオキシハイドレート、過酸化水素及び過硫酸ナトリウムを挙げることができる。好ましい漂白剤は、過硼酸ナトリウム一水和物若しくは四水和物及び／又は炭酸ナトリウムペルオキシハイドレートである。
【００４４】
該漂白剤は、一般的には、洗剤媒体中のその場所でペルオキシカルボン酸を洗剤配合物に対して約０．１重量％〜１２重量％そして好ましくは０．５重量％〜８重量％に相当する量で発生する漂白活性剤と組み合わされる。これらの活性剤の例としては、テトラアセチルエチレンジアミン、テトラアセチルメチレンジアミン、テトラアセチルグリコルリル、ｐ−アセトキシベンゼンスルホン酸ナトリウム、ペンタアセチルグルコース及びオクタアセチルラクトースを挙げることができる。
【００４５】
また、酸素の存在下に光活性化によって作用する非酸素化漂白剤も挙げることができる。これらは、スルホン化アルミニウム及び／又は亜鉛フタロシアニンの如き物質である。
【００４６】
また、洗剤配合物は、汚れ剥離剤、再付着防止剤、キレート化剤、分散剤、蛍光剤、気泡抑制剤、柔軟剤、酵素及び種々の他の添加剤を含むこともできる。
【００４７】
汚れ剥離剤
これらは、約０．０１〜１０重量％、好ましくは約０．１〜５重量％そしてより好ましくは約０．２〜３重量％の量で使用することができる。
【００４８】
より具体的には、
・セルロースヒドロキシエーテル、メチルセルロース、エチルセルロース、ヒドロキシプロピルメチルセルロース又はヒドロキシブチルメチルセルロースの如きセルロース誘導体、
・ポリアルキレン基幹にグラフトされたポリビニルエステル、例えば、ポリオキシエチレン基幹にグラフトされたポリビニルアセタール（ＥＰ−Ａ−２１９０４８）、
・ポリビニルアルコール、
・エチレンテレフタレート及び／又はプロピレンテレフタレート及びポリオキシエチレンテレフタレート単位を基にし、そして約１／１０〜１０／１そして好ましくは約１／１〜９／１のエチレンテレフタレート及び／又はプロピレンテレフタレート（単位数）／ポリオキシエチレンテレフタレート（単位数）モル比を有するポリエステル共重合体（ポリオキシエチレンテレフタレートは約３００〜５，０００そして好ましくは約６００〜５，０００の分子量を有するポリオキシエチレン単位を含有する（ＵＳ−Ａ−３９５９２３０、ＵＳ−Ａ−３８９３９２９、ＵＳ−Ａ−４１１６８９６、ＵＳ−Ａ−４７０２８５７、ＵＳ−Ａ−４７７０６６６））、
・エトキシル化アリルアルコールから、ジメチルテレフタレートから、そして１，２−プロピレンジオールから誘導されるオリゴマーのスルホン化によって得られ、そして１〜４個のスルホン化基を含有するスルホン化ポリエステルオリゴマー（ＵＳ−Ａ−４９６８４５１）、
・プロピレンテレフタレート及びポリオキシエチレンテレフタレート単位を基にしそしてエチル若しくはメチル単位で終わるポリエステル共単量体（ＵＳ−Ａ−４７１１７３０）、又はアルキルポリエトキシ基（ＵＳ−Ａ−４７０２８５７）又はスルホポリエトキシ（ＵＳ−Ａ−４７２１５８０）若しくはスルホアロイル（ＵＳ−Ａ−４８７７８９６）陰イオン基で終わるポリエステルオリゴマー、
・テレフタル酸、イソフタル酸及びスルホイソフタル酸、無水物又はジエステルから、及びジオールから誘導されるスルホン化ポリエステル共重合体（ＦＲ−Ａ−２７２０３９９）、
の如き物質を挙げることができる。
【００４９】
再付着防止剤
これらは、一般には、粉末洗剤配合物では約０．０１〜１０重量％、又は液体洗剤配合物では約０．０１〜５重量％の量で使用されることができる。
【００５０】
具体的には、
・エトキシル化モノアミン又はポリアミン、及びエトキシル化アミン重合体（ＵＳ−Ａ−４５９７８９８、ＥＰ−Ａ−１１９８４）、
・カルボキシメチルセルロース、
・イソフタル酸、ジメチルスルホスクシネート及びジメチレングリコールの縮合によって得られるスルホン化ポリエステルオリゴマー（ＦＲ−Ａ−２２３６９２６）、
・ポリビニルピロリドン、
の如き物質を挙げることができる。
【００５１】
キレート化剤
鉄及びマンガンのキレート化剤は、約０．１〜１０重量％そして好ましくは約０．１〜３重量％の量で存在させることができる。
【００５２】
その例としては、特に、
・エチレンジアミンテトラアセテート、ヒドロキシエチルエチレンジアミントリアセテート及びニトリロトリアセテートの如きアミノカルボキシレート、
・ニトリロトリス（メチレンホスホネート）の如きアミノホスホネート、
・ジヒドロキシジスルホベンゼンの如き多官能性芳香族化合物、
を挙げることができる。
【００５３】
重合体分散剤
これらは、カルシウム及びマグネシウム硬度を制御するために約０．１〜７重量％の量で存在させることができる。これらは、
・アクリル酸、マレイン酸若しくは無水物、フマル酸、イタコン酸、アコニット酸、メサコン酸、シトラコン酸又はメチレンマロン酸の如きエチレン式不飽和カルボン酸の重合又は共重合によって得られる約２，０００〜１００，０００の分子量を有する水溶性ポリカルボン酸塩、特に、約２，０００〜１０，０００の分子量を有するポリアクリレート（ＵＳ−Ａ−３３０８０６７）、約５，０００〜７５，０００の分子量を有するアクリル酸と無水マレイン酸との共重合体（ＥＰ−Ａ−６６９１５）、
・約１，０００〜５０，０００の分子量を有するポリエチレングリコール、
の如き物質である。
【００５４】
蛍光剤（増白剤）
これらは、０．０５〜１．２重量％の量で存在させることができる。これらは、スチルベン、ピラゾリン、クマリン、フマル酸、桂皮酸、アゾール、メチンシアニン、チオフェンなどの誘導体の如き物質である（Ｍ．Ｚａｈｒａｄｎｉｋの“Ｔｈｅ Ｐｒｏｄｕｃｔｉｏｎ ａｎｄ ａｐｐｌｉｃａｔｉｏｎ ｏｆ ｆｌｕｏｒｅｓｃｅｎｔ ｂｒｉｇｈｔｅｎｉｎｇ ａｇｅｎｔｓ ”、ジョン・ウイリー・アンド・サンズ発行、ニューヨーク、１９８２）。
【００５５】
気泡抑制剤
これらは、５重量％までの量で存在させることができる。これらは、
・Ｃ１０〜Ｃ２４脂肪族モノカルボン酸又はそれらのアルカリ金属、アンモニウム若しくはアルカノ−ルアミン塩、及び脂肪酸トリグリセリド、
・飽和又は不飽和脂肪族、脂環式、芳香族又は複素環式炭化水素、例えば、パラフィン及びワックス、
・Ｎ−アルキルアミノトリアジン、
・モノステアリルホスフェート及びモノステアリルアルキルホスフェート、
・シリカ粒子と随意に組み合わしうるポリアルガノシロキサン油又は樹脂、
の如き物質である。
【００５６】
柔軟剤
これらは、約０．５〜１０重量％の量で存在させることができる。これらは、粘土の如き物質である。
【００５７】
酵素
これらは、洗剤配合物１ｇ当たり活性酵素５ｍｇまでそして好ましくは約０．０５〜３ｍｇの量で存在させることができる。これらは、
・プロテアーゼ、アミラーゼ、リパーゼ、セルラーゼ及びペルオキシダーゼ（ＵＳ−Ａ−３５５３１３９、ＵＳ−Ａ−４１０１４５７、ＵＳ−Ａ−４５０７２１９、ＵＳ−Ａ−４２６１８６８）、
の如き酵素である。
【００５８】
他の添加剤
特に、
・緩衝剤、
・芳香料、
・顔料、
を挙げることができる。
【００５９】
洗剤配合物は、特に洗濯機において、洗浄操作を約２５〜９０℃の温度で実施するために０．５ｇ／１〜２０ｇ／１そして好ましくは２ｇ／１〜１０ｇ／１の割合で使用することができる。
【００６０】
本発明の保護用組成物の第二具体例は、織物を濯ぎ及び／又は柔軟化するための水性液体配合物よりなる。それは、０．２〜１０ｇ／１そして好ましくは２〜１０ｇ／１の割合で使用することができる。
【００６１】
陰イオン性多糖類と一緒に、
・該組成物の３％〜５０％そして好ましくは４％〜３０％の範囲内でよい量の陽イオン性界面活性剤（ジメチルサルフェート、Ｎ−メチルイミダゾリンタローエステルメチルサルフェート、ジアルキルジメチルアンモニウムクロリド、アルキルベンジルジメチルアンモニウムクロリド、メチルアルキルイミダゾリニウムサルフェート、メチルメチルビス（アルキルアミドエチル）−２−ヒドロキシエチルアンモニウムサルフェートなど）の組み合わせ（３％までの量の非イオン性界面活性剤（エトキシル化脂肪アルコール、エトキシル化アルキルフェノールなど）と随意に組み合わしうる）、
・光学増白剤（０．１％〜０．２％）、
・随意成分としての色彩堅牢剤（ポリビニルピロリドン、ポリビニルオキサゾリドン、ポリメタクリルアミドなど、０．０３％〜２５％そして好ましくは０．１％〜１５％）、
・着色剤、
・芳香料、
・溶剤、特にアルコール（メタノール、エタノール、プロパノール、イソプロパノール、エチレングリコール又はグリセロール）、
・気泡抑制剤、
の如きタイプの他の成分を存在させることができる。
【００６２】
本発明の保護用組成物の第三具体例は、織物を適当なタンブル乾燥機において乾燥するための添加剤よりなる。該添加剤は、例えば、織布若しくは不織布ストリップ又はセルロースシートよりなる可撓性固体支持体に該陰イオン性多糖類を含浸させてなるものである。該添加剤は、乾燥しようとする湿潤織物中にタンブル乾燥時点で約５０〜８０℃の温度において１０〜６０分間導入される。また、該添加剤は、上記の如き陽イオン性柔軟剤（９９％まで）及び色彩堅牢剤（８０％まで）を含むこともできる。
【００６３】
本発明の保護用組成物の第四具体例は、乾燥織物にアイロン掛け前に直接噴霧することができるアイロン掛用配合物よりなる。該配合物は、シリコーン重合体（０．２％〜５％）、非イオン性界面活性剤（０．５％〜５％）若しくは陰イオン性界面活性剤（０．５％〜５％）、芳香料（０．１％〜３％）又はセルロース誘導体（０．１％〜３％）、例えば澱粉も含有することができる。該配合物を織物に噴霧すると、それらをアイロン掛けするのが容易になり、そして織物を着用したときにそれらのしわの発生が制限される。
【００６４】
本発明の保護用組成物の第五具体例は、水溶液又は分散液又は固体（棒状体）の形態にあるプレスポッター（ｐｒｅｓｐｏｔｔｅｒ）よりなる。
【００６５】
陰イオン性多糖類と一緒に、
・組成物の重量の少なくとも５％の量の上記の如き陰イオン性界面活性剤、
・組成物の重量の１５％〜４０％の範囲内であってよい量の上記の如き非イオン性界面活性剤、
・組成物の重量の５％〜２０％の範囲内であってよい量の脂肪族炭化水素、
の如きタイプの他の成分を存在させることができる。
【００６６】
次の実施例は、本発明の例示の目的で提供される。
以下の各実施例で使用される陰イオン性多糖類は、１．６の置換度、及び次の如く分子サイズ排除クロマトグラフィーによって測定して１，４００，０００の重量平均分子量を有するカルボキシメチルグアーである。
測定は、０．１ＭのＬｉＣｌ及び２／１００００のＮａＮ３を含有するｐＨ９〜１０の水中で実施される。機械の特徴は、
・クロマトグラフィーカラム：３ Ｓｈｏｄｅｘ ＳＢ８０６ＨＱ ３０ｃｍ、５μｍカラム
・インジェクターポンプ：ＪＡＳＣＯ　ｐｕｍｐ
・検出器：ＲＩ Ｗａｔｅｒｓ ４１０ ｒｅｆｒａｃｔｏｍｅｔｅｒ Ｓｅｎｓｉｔｉｖｉｔｙ ８， ＭＡＬＬＳ ＷＹａｔｔ ｌｉｇｈｔ ｓｃａｔｔｅｒｉｎｇ， ６３３ ｎｍ Ｈｅ Ｌａｓｅｒ
・流量：０．８ｍｌ／分
である。
【００６７】
注入した溶液（２００μ１）は、約０．５重量％の陰イオン性多糖類を含有する。その重量平均分子量は、ゼロ角度に外挿された光散乱値を使用して較正なしに直接定められる。これらの値は、ＣｘＭｘ（ｄｎ／ｄｃ）２：
・Ｃは多糖類の濃度に相当する、
・Ｍは重量平均分子量に相当する、
・ｎは溶液の光学指数に相当する、
・ｃは多糖類の濃度に相当する、
・ｄｎ／ｄｃ比はここでは０．１４０に等しい、
に比例する。
【００６８】
例１
【表２】
2004511681.tif 000003
【００６９】
洗浄操作は、洗剤組成物の配合者によく知られた「Ｔｅｒｇｏｔｏｍｅｔｅｒ」実験室的機械において実施される。この機械は、脈動タイプの米国製洗浄機の機械的及び熱的作用を模擬するが、しかし６個の洗浄ドラムの存在によって、同時的な一連の試験を時間のかなりの節約で実施することが可能である。
【００７０】
未仕上綿から２５×２５ｃｍの試験片を切り取る。綿試験片を先ずアイロン掛してそれらがすべて洗浄前に同じレベルのしわを有するようにする。
【００７１】
それらを、次いで、陰イオン性多糖類を含有する上記の洗剤配合物を使用して下記の条件下に洗浄し、そして一回濯ぐ。
・「Ｔｅｒｇｏｔｏｍｅｔｅｒ」ドラム当たりの試験片の数：２
・水の容量：１リットル
・商品名「Ｃｏｎｔｒｅｘｅｖｉｌｌｅ」の硬水の適当な希釈によって得られるフランス硬度３０°ＴＨの水
・洗浄用製品の濃度：５ｇ／１
・洗浄温度：４０℃
・洗浄時間：２０分
・「Ｔｅｒｇｏｔｏｍｅｔｅｒ」の回転速度：１００ｒｐｍ
・冷水（約３０°ＴＨ）による濯ぎ
・濯ぎ時間：５分
【００７２】
次いで、試験片に３ｋｇのプレス下に２０秒間折目を付け、その後にそれらを垂直にして夜通し乾燥させる。同じ洗剤配合物であるがしかし陰イオン性多糖類を含まないものを使用して同じ操作を実施する。
【００７３】
次いで、乾燥試験片のデジタルカラー写真を撮り、これを次いで２５６グレースケールレベル（０〜２５５のグレースケール）に変換する。各グレースケールレベルに相当するピクセル（画素）の数を数える。
【００７４】
得られた各ヒストグラムに対して、グレースケールレベルの分布の標準偏差σを測定する。
σ１は、陰イオン性多糖類を全く含有しない洗剤配合物で得られた標準偏差に相当する。
σ２は、陰イオン性多糖類を含有する洗剤配合物で得られた標準偏差に相当する。
【００７５】
性能値は、等式：−Δσ＝σ２−σ１によって与えられる。得られた性能値は、次の通りである。
【表３】
2004511681.tif 000004
【００７６】
これらの正の−Δσ値は、本発明に従った陰イオン性多糖類を含む洗剤配合物によって提供される防しわ性を表わすものである。
【００７７】
例２
【表４】
2004511681.tif 000005
【００７８】
例３
色彩の保護率の測定
原理
これは、規定した条件下にいくつかの着色綿織物の試料について１０回の洗浄を実施することよりなる。色彩保護率は、自動洗浄機で測定される。実際の操作は、反射率の測定によって実施される。織物は、１０回の洗浄前後で調べられる。かくして記録された色彩の変化（ΔＥ＊）は、各タイプの織物について色彩の損失を表わす。
【００７９】
装置−反応剤
＊「ＡＥＧ Ｌａｖａｍａｔ ２０５０ Ｔｕｒｂｏ」自動洗浄機：市販の前面投入式洗浄機−４０℃での洗浄サイクル、洗浄水の容量：１３リットル、記録されるプログラム：１０回の洗浄サイクル
＊ＬＵＣＴ１００反射率計−Ｄｒ　ｌａｎｇｅ：これは、洗浄前後の織物の色彩を測定するのに使用される反射率測定機である。
＊６枚のふきん：灰色綿布標準４０２ＭＢＬＩ（Ｄ．ＰＯＲＴＨＡＵＬＴ　ＳＡからの）製
＊４枚のタオル（バラストとして）：プラッシュループ白色綿テリータオル５００ｇ／ｍ２（Ｄ．ＰＯＲＴＨＡＵＬＴ　ＳＡからの）
＊５種の異なる市販着色織物のサンプリング
・ピンク色綿織物
・紫色綿織物
・青色綿織物
・緑色綿織物
・オレンジ色綿織物
【００８０】
操作
洗浄条件：
・洗浄温度：４０℃
・時間：約６７分
・洗浄の回数：１０
・洗濯投入量：３ｋｇの乾燥重量（４枚のタオル＋６枚のふきん＋着色織物）
・浴の容量：１３リットル±１リットル
・水硬度：約２３°ＴＨ（フランス）
・洗浄配合物濃度：５±０．１ｇ／１
手順：５つの工程
・新しい織物試料の色彩の測定
・連続洗浄中のすり切れを回避するためにふきんに着色織物試料を縫い付け
・サイクルとサイクルとの間で乾燥せずに１０回の洗浄の実施
・野外で乾燥
・洗浄した織物上の色彩の測定
【００８１】
色彩は、ＬＵＣＴ１００反射率計で測定される。
使用される測定方式は、ＣＩＥ［インターナショナル・コミッション・オン・イルミネーション］−Ｌ＊ａ＊ｂ＊（ＤＩＮ６１７３、ＣＩＥ−ＬＡＢ　１９７６）である。
【００８２】
これは、次の如く構成される。
Ｌ＊は、白色−黒色スケールの白色度に相当する。
Ｌ＊＝白色試料に対して１００
Ｌ＊＝黒色試料に対して０
ａ＊は、緑色〜赤色の範囲内の色彩を示す
ａ＊≧０　色彩は赤色に向かう
ａ＊≦０　色彩は緑色に向かう
ｂ＊は、黄色〜青色の範囲内の色彩を示す
ｂ＊≧０　色彩は黄色に向かう
ｂ＊≦０　色彩は青色に向かう
各織物試料を５つの異なる点（中央で１つそして各角で１つの点）において測定し、そして成分Ｌ＊、ａ＊及びｂ＊の平均値を計算する。
【００８３】
結果の利用
反射率計に、先に記録されたデータからΔＥ＊を間接的に計算するソフトウエアを装備する。この値は、洗浄後に織物に記録された色彩の変化に相当し、そして次の如く表わされる。
ΔＬ＊＝洗浄後のＬ＊−洗浄前のＬ＊
Δａ＊＝洗浄後のａ＊−洗浄前のａ＊
Δｂ＊＝洗浄後のｂ＊−洗浄前のｂ＊
【００８４】
次いで、各織物の色彩の損失は、次の式：
【数１】
2004511681.tif 000006
によって与えられる。
【００８５】
基準と比較した多糖類の性能品質は、多糖類を含まない配合物とそれを含む配合物との間のΔＥ＊の差違として測定される。
【００８６】
色彩の累積的損失は、着色織物の色彩の損失の合計として計算される。
【００８７】
１部の陰イオン性多糖類を下記の１００部の組成物（Ｃ）（重量部で表わされる）に加えることによって洗剤組成物（Ｆ）を調製する。
【表５】
2004511681.tif 000007
【００８８】
この配合物（Ｆ）及び陰イオン性多糖類を含まない組成物（Ｃ）を上記の如くして試験する。得られた結果は次の通りである。
【表６】
2004511681.tif 000008
【００８９】
これらの結果は、配合物（Ｆ）中における陰イオン性多糖類の存在が色彩の保護率を実質上向上させることができることを示す。
【国際公開パンフレット】
2004511681.tif 000009
2004511681.tif 000010
2004511681.tif 000011
2004511681.tif 000012
2004511681.tif 000013
2004511681.tif 000014
2004511681.tif 000015
2004511681.tif 000016
2004511681.tif 000017
2004511681.tif 000018
2004511681.tif 000019
2004511681.tif 000020
2004511681.tif 000021
2004511681.tif 000022
2004511681.tif 000023
2004511681.tif 000024
2004511681.tif 000025
2004511681.tif 000026
2004511681.tif 000027
2004511681.tif 000028
2004511681.tif 000029
2004511681.tif 000030
2004511681.tif 000031
2004511681.tif 000032
2004511681.tif 000033
2004511681.tif 000034
2004511681.tif 000035
【国際調査報告】
2004511681.tif 000036
2004511681.tif 000037
2004511681.tif 000038
2004511681.tif 000039
2004511681.tif 000040
2004511681.tif 000041